(57)【特許請求の範囲】
【請求項１】
構造体と表面材との間に通気層を有する壁体と、
前記壁体の天端に前記壁体の面内方向に沿って設けられ前記天端を覆う笠木と、
前記壁体の面内方向に互いに間隔を隔てて複数設けられ前記笠木を前記構造体に保持する保持部材と、
前記面内方向に沿うとともに前記壁体の面外方向において前記笠木と前記表面材とがなす開口と前記通気層とを連通する連通空間から前記天端上に渡って設けられ、前記連通空間の幅を前記開口の幅より狭める幅縮小部材と、
を有し、
前記幅縮小部材は、前記面外方向における一方の端部が固定され、他方の端部は固定されていないことを特徴とする笠木を備えた壁構造。
【請求項２】
請求項１に記載の笠木を備えた壁構造であって、
前記幅縮小部材は、前記面外方向における前記一方の端部が前記保持部材に固定されていることを特徴とする笠木を備えた壁構造。
【請求項３】
請求項２に記載の笠木を備えた壁構造であって、
前記幅縮小部材の、前記面外方向における前記他方の端部は、前記通気層を塞がないことを特徴とする笠木を備えた壁構造。
【請求項４】
請求項１に記載の笠木を備えた壁構造であって、
前記幅縮小部材の、前記面外方向における前記一方の端部は前記笠木に固定され、前記他方の端部は前記表面材との間に隙間を備えていることを特徴とする笠木を備えた壁構造。
【発明の詳細な説明】
【技術分野】
【０００１】
本発明は、笠木を備えた壁構造に関する。
【背景技術】
【０００２】
笠木を備えた壁構造としては、例えば、木材などで構成される構造体の表裏面に各々通気層を介して表面材が設けられた壁体に、その天端を覆うように笠木が設けられている、バルコニー用手摺り壁が知られている（例えば、特許文献１参照）。このバルコニー用手摺り壁には、暴風を伴う雨天時において雨水が強風とともに吹き上がった場合に、雨水が笠木の内側から通気層に進入することを阻止する、塞ぎ材が笠木の側面部と手摺り壁の側面との隙間に配置されている。
【先行技術文献】
【特許文献】
【０００３】
【特許文献１】特許第４４４７０９７号公報
【発明の概要】
【発明が解決しようとする課題】
【０００４】
上記のようなバルコニー用手摺り壁は、笠木や手摺り壁のサイズが施工現場により様々であり、塞ぎ材は、通気層への空気の流通を確保しつつ雨水等の進入を阻止するために施工現場毎に適切なサイズに形成しなければならない。このため、各施工現場に合わせた塞ぎ材の製造が煩雑であるとともに、施工現場毎にサイズが異なる幅縮小部材はコストが高くなるという課題がある。
【０００５】
本発明は、かかる課題に鑑みてなされたものであり、その目的とするところは、汎用性に優れコストを抑えた笠木を備えた壁構造を提供することにある。
【課題を解決するための手段】
【０００６】
かかる目的を達成するために本発明の笠木を備えた壁構造は、構造体と表面材との間に通気層を有する壁体と、前記壁体の天端に前記壁体の面内方向に沿って設けられ前記天端を覆う笠木と、前記壁体の面内方向に互いに間隔を隔てて複数設けられ前記笠木を前記構造体に保持する保持部材と、前記面内方向に沿うとともに前記壁体の面外方向において前記笠木と前記表面材とがなす開口と前記通気層とを連通する連通空間から前記天端上に渡って設けられ、前記連通空間の幅を前記開口の幅より狭める幅縮小部材と、を有し、前記幅縮小部材は、前記面外方向における一方の端部が固定され、他方の端部は固定されていないことを特徴とする笠木を備えた壁構造である。
【０００７】
このような笠木を備えた壁構造によれば、笠木と表面材とがなす開口と前記通気層とを連通する連通空間の幅を狭める幅縮小部材が、連通空間から壁体の天端上に渡って設けられているので、開口から通気層に繋がる連通空間の幅を狭めつつも開口から通気層への流路を確保することが可能である。
【０００８】
また、幅縮小部材は、面外方向における一方の端部が固定され、他方の端部は固定されていないので、他方の端部を壁体の天端上に自由に配置して、開口と表面材の幅に拘わらず流路を確保しつつ幅縮小部材を備えることが可能である。このため、汎用性に優れコストを抑えた笠木を備えた壁構造を提供することが可能である。
【０００９】
かかる笠木を備えた壁構造であって、前記幅縮小部材は、前記面外方向における前記一方の端部が前記保持部材に固定されていることが望ましい。
【００１０】
このような笠木を備えた壁構造によれば、幅縮小部材は、一方の端部が保持部材に固定されており、他方の端部は壁体の天端上に固定されずに位置しているので、幅縮小部材は、面外方向において壁体等による制約を受けない。このため、より自由に配置することが可能である。
【００１１】
かかる笠木を備えた壁構造であって、前記幅縮小部材は、前記通気層を塞がないことが望ましい。
【００１２】
このような笠木を備えた壁構造によれば、壁体の天端において通気層は幅縮小部材によって塞がれないので、開口から通気層への流路をより確実に確保することが可能である。
【００１３】
かかる笠木を備えた壁構造であって、前記幅縮小部材の、前記面外方向における前記一方の端部は、前記笠木に固定され、前記他方の端部は前記表面材との間に隙間を備えていることが望ましい。
【００１４】
このような笠木を備えた壁構造によれば、幅縮小部材の他方の端部は表面材との間に隙間を備えているので、たとえ幅縮小部材が笠木に設けられていたとしても、開口から通気層への流路を確保することが可能である。
【発明の効果】
【００１５】
本発明によれば、汎用性に優れコストを抑えた笠木を備えた壁構造を提供することが可能である。
【図面の簡単な説明】
【００１６】
【図１】本実施形態に係る笠木を備えた壁構造をなす壁の平面図である。
【図２】図１におけるＡ−Ａ断面図である。
【図３】図１におけるＢ−Ｂ断面図である。
【図４】壁体への笠木の施工方法を示す図である。
【図５】壁体が厚い場合の壁構造を示す断面図である。
【図６】壁体が薄い場合の壁構造を示す断面図である。
【図７】幅縮小部材を保持部材の笠木側に固定した状態を示す断面図である。
【図８】幅縮小部材と保持部材とが同一平面をなすように構成された壁を示す断面図である。
【図９】段部を有しない幅縮小部材の例を示す断面図である。
【図１０】表面材の側面に当接される幅縮小部材の例を示す断面図である。
【図１１】傾斜部を有しない笠木、保持部材、幅縮小部材を用いる例を示す断面図である。
【図１２】保持部材が表面材より外側に張り出さない場合を示す断面図である。
【図１３】幅縮小部材が笠木に固定される例を示す断面図である。
【発明を実施するための形態】
【００１７】
以下、本発明の一実施形態に係る笠木を備えた壁構造について図面を参照して説明する。
本実施形態においては、本発明にかかる笠木を備えた壁構造として、たとえば、バルコニーを形成する、図１〜図３に示すような壁１を例に挙げて説明する。尚、図１においては、笠木を仮想線にて示している。
【００１８】
以下の説明においては、建物等に設けられている状態で、上下となる方向を上下方向、壁１の壁面に沿う方向を面内方向、壁面と直交する方向を面外方向として説明する。また、壁１が備える各部材は、単体として説明する場合であっても、壁１として設けられた状態で、上下方向、面内方向、面外方向となる方向にて方向を特定して説明する。また、本実施形態の壁１は、面外方向における形状が壁芯に対して対象に構成されているので、壁芯側を内側、表面側を外側として説明する。
【００１９】
図１〜図３に示すように、壁１は、構造体２及び表面材３を備えた壁体４と、壁体４の天端４ａを覆う笠木５と、笠木５を壁体４上に保持する保持部材６と、保持部材６に固定されて笠木５と表面材３との間の空間における開口１ａの幅を狭める幅縮小部材７と、を有している。
【００２０】
壁体４は、木材等により形成される躯体をなす構造体２と、構造体２を面外方向から挟み当該構造体２と互いに間隔を隔てて設けられる２枚の表面材３と、を有している。ここでは、表面材３は、上下方向に沿って設けられた胴縁（不図示）を介して構造体２に固定されることにより構造体２との間に通気層４ｂを形成している。
【００２１】
構造体２の天端２ａに固定される保持部材６は、壁体４の面内方向に適宜間隔を隔てて複数設けられている。すなわち、保持部材６は、壁体４の長手方向における幅が壁体４より十分に小さな部材である。
【００２２】
保持部材６は、構造体２の天端２ａに載置されてビス止めされる天端固定部６ａと、天端固定部６ａの面外方向における両端部が上方に延出された２つの上方延出部６ｂと、２つの上方延出部６ｂの上端部から各々、面外方向において互いに対向する方向と反対方向に延出されて略水平な面を形成する水平面部６ｃと、水平面部６ｃから各々延出され先方側が低くなるように傾斜する傾斜延出部６ｄと、傾斜延出部６ｄの先端に設けられ略鉛直に形成されて笠木５が係止される係止部６ｅと、を有している。
【００２３】
本実施形態における傾斜延出部６ｄは、水平に対し２種類の角度の傾斜をなすように屈曲されており、上方延出部６ｂ側の傾斜延出部（以下、上傾斜延出部という）６ｆの傾斜は、係止部６ｅ側の傾斜延出部（以下、下傾斜延出部という）６ｇより傾斜角度が小さく構成されている。
【００２４】
上方延出部６ｂの高さは、天端固定部６ａが構造体２に固定されるビス８の頭部が水平面部６ｃより上方に突出しない高さを有している。また、保持部材６は、表面材３の上方に傾斜延出部６ｄが位置しており、面外方向における両端部は、壁体４の表面材３よりもいずれも外側に張り出している。傾斜延出部６ｄと表面材３とは間隔が隔てられて接触していない。
【００２５】
笠木５は、壁体４の長手方向に沿って壁体４の全長にわたって設けられており、保持部材６の２つの水平面部６ｃにわたり水平面部６ｃより外側に延出された天面部５ａと、天面部５ａから各々外側に延出され先方側が低くなるように傾斜する笠木傾斜部５ｂと、笠木傾斜部５ｂの先端に設けられほほ鉛直に形成された側壁部５ｃと、を有している。笠木５の側壁部５ｃの内面には、内側に向かって突出する係止片５ｄが設けられている。
【００２６】
笠木５が有する２つの側壁部５ｃの、面外方向における内幅は、保持部材６が有する２つの係止部６ｅの、面外方向の外幅より僅かに大きく形成されている。このため、保持部材６の上方から笠木５を被せると、係止部６ｅと側壁部５ｃとが面外方向に重なるとともに、笠木５の側壁部５ｃの先端及び係止片５ｄが保持部材６の傾斜延出部６ｄおよび係止部６ｅに接触することにより、笠木５の２つの側壁部５ｃの間隔が開くように笠木５が弾性変形し、係止片５ｄが係止部６ｅを越えて笠木５が復元することにより、保持部材６に笠木５が係止される。笠木５が保持部材６に係止されたときには、笠木５と壁体４の天端４ａとの間の空隙をなす通気部４ｃが形成される。
【００２７】
幅縮小部材７は、笠木５の長手方向における略全長にわたって設けられており、下傾斜延出部６ｇの表面材３側の面にビス９にて固定される傾斜固定部７ａと、傾斜固定部７ａの上側の縁から壁体４の上方に延出される縮小延出部７ｂと、縮小延出部７ｂの先端に下方に窪む段部７ｃと、が設けられている。ここで、幅縮小部材７は、面外方向における外側の端部に傾斜固定部７ａが設けられ、内側の端部に段部７ｃが設けられている。幅縮小部材７は、保持部材６の下傾斜延出部６ｇに固定され段部７ｃが表面材３の天端３ａに当接された場合には、保持部材６の下傾斜延出部６ｇと表面材３との間は幅縮小部材７により塞がれ、段部７ｃと表面材３の天端３ａとが近接している場合には、段部７ｃと表面材３の天端３ａとの間の僅かな隙間により通気層４ｂと連通した状態となる。
【００２８】
本実施形態の笠木５を備えた壁構造における壁体４への笠木５の施工方法は、まず、図４（ａ）に示すように、構造体２の天端２ａに、複数の保持部材６における天端固定部６ａを、互いに適宜間隔をあけて載置しビス８により固定する。このとき例えば、構造体２の長手方向に沿って張った水糸などを用いて各保持部材６が構造体２の長手方向に沿って直線状に並ぶように配置する。このため、各保持部材６には、水糸に対して位置合わせするためのケガキ溝６ｈを設けておくことが望ましい。
【００２９】
次に、図４（ｂ）に示すように、各保持部材６における下傾斜延出部６ｇの下面側に、幅縮小部材７の傾斜固定部７ａを当接させて各々ビス９により固定する。このとき、幅縮小部材７を構造体２の長手方向に沿わせて配置するために、幅縮小部材７の傾斜固定部７ａにおける保持部材６に当接される面に、ケガキ溝７ｄを設けておく。このケガキ溝７ｄは、幅縮小部材７を保持部材６に取り付けるべく配置したときに、幅縮小部材７のケガキ溝７ｄと保持部材６のケガキ溝６ｈとが直線状に繋がるように設けておく。
【００３０】
次に、図４（ｃ）に示すように、壁体４の、面外方向における両側に幅縮小部材７を固定した後に、上方から笠木５を被せて笠木５の係止片５ｄを、保持部材６の係止部６ｅに係止する。このように施工された笠木５を備えた壁１においては、笠木５の側壁部５ｃと表面材３との間に形成され、通気層４ｂと繋がる連通空間１ｂにおいて、側壁部５ｃと表面材３との間に形成される開口１ａの幅は幅縮小部材７により狭められるとともに、保持部材６が設けられていない部位において外部と通気層４ｂとが連通している。このとき、幅縮小部材７の段部７ｃが表面材３の天端３ａに接していない場合には、段部７ｃと表面材３の天端３ａとの間においても外部と通気層４ｂとが連通している。
【００３１】
本実施形態の笠木５を備えた壁構造の壁１によれば、笠木５と表面材３とにより形成される開口１ａから通気層４ｂに繋がる連通空間１ｂの幅を狭める幅縮小部材７が、開口１ａの幅方向における外側の端部が、表面材３に対して通気層４ｂと反対側にて保持部材６に固定され、内側の端部は壁体４の上方に位置しているので、開口１ａから通気層４ｂに繋がる連通空間１ｂの幅を狭めつつも開口１ａから通気層４ｂへの空気の流路を確保することが可能である。
【００３２】
また、幅縮小部材７は、開口１ａの幅方向における外側の端部が保持部材６に固定されているが、内側の端部は壁体４の上方に位置して固定されていないので、開口１ａと表面材３の幅、または、壁体４に対する保持部材６における幅縮小部材７の固定位置に拘わらず流路を確保しつつ幅縮小部材７を取り付けることが可能である。例えば、図５に示すように、壁体４が厚く笠木５の側壁部５ｃと表面材３との間隔が狭い場合には、段部７ｃが表面材３の天端３ａにおける構造体２側に配置され、図６に示すように、壁体４が薄く笠木５の側壁部５ｃと表面材３との間隔が広い場合には、段部７ｃを表面材３の天端３ａにおける側壁部５ｃ側に配置する、或いは、段部７ｃを通気層４ｂ上に配置することにより、単一の幅縮小部材７にて、多くの現場に対応させることが可能である。このため、汎用性に優れコストを抑えた笠木を備えた壁構造の壁１を提供することが可能である。
【００３３】
また、幅縮小部材７を設けることにより開口１aから通気部４ｃへの流路幅が狭くなるので、蝙蝠や小動物の通気部４ｃへの侵入および通気部４ｃを通りぬけて通気層４ｂへの侵入を防止することが可能である。
【００３４】
また、保持部材６に固定された幅縮小部材７の段部７ｃは、構造体２の上方に至らないように形成されているので、幅縮小部材７により壁体４の天端４ａにおいて通気層４ｂが塞がれない。このため、開口１ａから通気層４ｂへの流路を確保することが可能である。
【００３５】
上記実施形態においては、幅縮小部材７を保持部材６の表面材３側に固定する例について説明したが、これに限らず、例えば、図７に示すように、幅縮小部材７を保持部材６の笠木５側に固定しても構わない。また、図８に示すように、幅縮小部材７を保持部材６に固定した際に、面内方向において互いに隣り合う保持部材６間では、傾斜固定部７ａと下傾斜延出部６ｇとが同一平面をなすように幅縮小部材７が形成されていても構わない。
【００３６】
上述した実施形態は、一例であり、笠木５、保持部材６、幅縮小部材７の形状は上記実施形態に限定されるものではない。例えば、幅縮小部材７は、図９に示すように段部を備えていなくとも良く、また、通気層４ｂを塞がなければ表面材３の天端３ａを越えて通気層４ｂに張り出していても構わない。
【００３７】
また、図１０（ａ）、図１０（ｂ）に示すように、幅縮小部材７の固定されていない側の端部７ｅが表面材３の側面３ｂ、または、側面３ｂ及び天端３ａに当接される構成であっても構わない。この場合には、幅縮小部材７を弾性変形可能な構成とし、保持部材６の下傾斜延出部６ｇと表面材３との間隔に応じて弾性変形した状態で幅縮小部材７の端部７ｅを表面材３に当接させることにより汎用性を備えることが可能である。
【００３８】
また、笠木５、保持部材６、幅縮小部材７は、図１１（ａ）、図１１（ｂ）に示すように、傾斜部を有していなくとも良く、幅縮小部材７は、図１１（ｂ）に示すように、保持部材６の内側に設けられて垂設された壁部７ｉの下端が表面材３の天端３ａに当接または近接する構成であっても構わない。
【００３９】
上記実施形態においては、保持部材６が表面材３より外側、すなわち構造体２の反対側に突出して設けられている例について説明したが、これに限らず、保持部材６は、図  １２（ａ）〜図１２（ｄ）に示すように、表面材３より外側に突出しておらず、幅縮小部材７は、内側の端部７ｆが保持部材６に固定されて外側に延出されている構成であっても構わない。
【００４０】
上記実施形態においては、幅縮小部材７を保持部材６に固定する例について説明したが、これに限らず、例えば、図１３に示すように、幅縮小部材７を笠木５の内面に固定しても良い。この場合には、外部にビスなどの固定具が露出しないように両面テープ等により固定することが望ましい。また、笠木５に固定する場合には、開口１ａから通気層４ｂへの流路を確保する段部７ｃが表面材３の天端３ａと間隔をあけて配置され、段部７ｃが表面材３の天端３ａと間に隙間Ｓが設けられる。
【００４１】
上記実施形態においては、単体の幅縮小部材７を例に挙げて説明したが、これに限らず幅縮小部材は複数の部材から構成されていても構わない。例えば、幅縮小部材が、スポンジやゴムなどの弾性部材にて形成された緩衝材等とともに一体に形成されていても構わない。
【００４２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４３】
１  壁、１ａ  開口、１ｂ  連通空間、２  構造体、３  表面材、４  壁体、
４ａ  天端、４ｂ  通気層、５  笠木、６  保持部材、７  幅縮小部材、
７ａ  傾斜固定部、７ｃ  段部、
Ｓ  隙間
【図１】
0006529890.tif 000002
【図２】
0006529890.tif 000003
【図３】
0006529890.tif 000004
【図４】
0006529890.tif 000005
【図５】
0006529890.tif 000006
【図６】
0006529890.tif 000007
【図７】
0006529890.tif 000008
【図８】
0006529890.tif 000009
【図９】
0006529890.tif 000010
【図１０】
0006529890.tif 000011
【図１１】
0006529890.tif 000012
【図１２】
0006529890.tif 000013
【図１３】
0006529890.tif 000014